(57)【要約】【課題】シェル本体の外周部にジャケットを溶接した構造のリアクターにおいて、ジャケットを溶断することなく、ジャケット内の付着物を効果的に除去することができる技術を提供すること。【解決手段】圧力容器の外周に設けた空冷・加熱ジャケット２のノズルから、付着物除去手段を備えたワイヤを挿入してジャケット内の付着物除去を行うジャケット内付着物除去方法であって、該ワイヤを、スプリング状に成形したスプリングワイヤを複数本並列して点溶接した連結スプリングワイヤ７とする。【選択図】図２
2014087758.tif 000002
【特許請求の範囲】
【請求項１】
圧力容器の外周に設けた空冷・加熱ジャケットのノズルから、付着物除去手段を備えたワイヤを挿入してジャケット内の付着物除去を行うジャケット内付着物除去方法であって、
該ワイヤが、スプリング状に成形したスプリングワイヤを複数本並列して点溶接した連結スプリングワイヤであることを特徴とするジャケット内付着物除去方法。
【請求項２】
スプリング状に成形したスプリングワイヤを複数本並列して点溶接した連結スプリングワイヤと、該連結スプリングワイヤの先端に備えた付着物除去手段から構成されることを特徴とするジャケット内付着物除去装置。
【請求項３】
該連結スプリングワイヤの先端に内視鏡を備えることを特徴とする請求項２記載のジャケット内付着物除去装置。
【発明の詳細な説明】
【技術分野】
【０００１】
本発明は、圧力容器（リアクター）を構成するシェル本体の外周部に設けられたジャケット内に付着する付着物を除去する方法およびジャケット内付着物除去装置に関するものである。
【背景技術】
【０００２】
リアクターを薬液反応槽等として使用する場合、リアクター内を所定の薬液反応に最適な温度に調整する手段として、リアクターを構成するシェル本体の外周部にジャケットを設けた構造が従来から採用されている。
【０００３】
当該構造では、ジャケット内に熱媒または冷媒を流してリアクター内の温度調節が行われる。熱媒・冷媒としては、ブライン(プロピレンゴリコール、エチレンゴリコール、エタノール等と水との混合物を代表例とする不凍液)或いはスチーム或いは工業用水が使用される。これらの熱媒・冷媒は適宜用途に応じて様々なものが使用されるため、例えば、ブライン中に含有されジャケット内に付着していた塩化カルシウムと、後に熱媒として使用されたスチームとの相乗作用により鉄製のシェル外周面やジャケット内周面が腐食して付着物が形成されたり、ブライン中に含有されジャケット内に付着していたエチレングリコールが、後に冷媒として使用された工業用水中に含まれる菌の養分となり、該養分によって繁殖した菌がシェル外周面やジャケット内周面への付着物となる等の現象が観察される。その他、工業用水に含まれる土砂やその他スケール成分がシェル外周面やジャケット内周面への付着物となる現象も観察される。
【０００４】
シェル外周面やジャケット内周面に付着物が発生すると、熱交換率の低下による生産性の悪化や、錆の要因となるため好ましくない。圧力容器では法令で所定の板厚を確保することが定められているが、シェル外周面の錆は、超音波探触子等による板厚測定結果の精度を悪化させる要因となっている。
【０００５】
ただし、ジャケット内は、通常、間隙２０〜１００ｍｍ程度に設計されているため、手作業による付着物や錆の除去は困難である。また、フランジ構造の採用によりジャケットを取り外し可能な構造とすることは可能であるが、当該構造は製作コストの観点から実用性に欠き、従来から、シェル本体の外周部にジャケットを溶接した構造が一般的に採用されている（例えば、特許文献１）。当該構造において、ジャケット内に付着した付着物（付着物や錆等）の除去を目的とするメンテナンス時には、シェル本体とジャケットの溶接部分を溶断してジャケットを取り外して付着物を除去することが考えられるが、圧力容器であるリアクターは、安全確保の見地から、各種法令、法規を満たすことが求められるため、例えばメンテナンス時にジャケットを溶断した場合、溶接後に各種法令、法規を満たす製品であることの再認定を受ける必要があり、手続きが煩雑である問題があった。
【先行技術文献】
【特許文献】
【０００６】
【特許文献１】特開平７−２６００９２号公報
【発明の概要】
【発明が解決しようとする課題】
【０００７】
本発明の目的は前記の問題を解決し、シェル本体の外周部にジャケットを溶接した構造のリアクターにおいて、ジャケットを溶断することなく、ジャケット内の付着物を効果的に除去することができる技術を提供することである。
【課題を解決するための手段】
【０００８】
上記課題を解決するためになされた本発明のジャケット内付着物除去方法は、圧力容器の外周に設けた空冷・加熱ジャケットのノズルから、付着物除去手段を備えたワイヤを挿入してジャケット内の付着物除去を行うジャケット内付着物除去方法であって、該ワイヤが、スプリング状に成形したスプリングワイヤを複数本並列して点溶接した連結スプリングワイヤであることを特徴とするものである。ジャケット内付着物除去方法。
【０００９】
上記課題を解決するためになされた本発明のジャケット内付着物除去装置は、スプリング状に成形したスプリングワイヤを複数本並列して点溶接した連結スプリングワイヤと、該連結スプリングワイヤの先端に備えた付着物除去手段から構成されることを特徴とするものである。
【００１０】
請求項３記載の発明は、請求項２記載のジャケット内付着物除去装置において、該連結スプリングワイヤの先端に内視鏡を備えることを特徴とするものである。
【発明の効果】
【００１１】
圧力容器の外周に設けた空冷・加熱ジャケット内に、スプリング状に成形したスプリングワイヤを複数本並列して点溶接した連結スプリングワイヤを挿入して、該連結スプリングワイヤに備えた付着物除去手段によってジャケット内の付着物を除去する本発明によれば、ジャケット内の付着物除去作業を、ジャケットを溶断することなく、簡易な手段で行うことができる。
【図面の簡単な説明】
【００１２】
【図１】圧力容器の断面説明図である。
【図２】連結スプリングワイヤの説明図である。
【発明を実施するための形態】
【００１３】
図１において、１はリアクターを構成するシェル本体、２はジャケットを示している。ジャケット２は、左右２カ所の上部ノズル３、４と、左右２カ所の下部ノズル５、６を備えている。
【００１４】
本実施形態では、下部ノズル５、６から連結スプリングワイヤ７を挿入し、該連結スプリングワイヤ７に備えた付着物除去手段８によってジャケット内の付着物除去を行う。なお、シェル本体の下部（以下、下鏡部９という）には、シェル本体の焼成時に使用された脚部の残部等、障害物が存在するため、通常のワイヤブラシによる付着物除去作業は困難である。
【００１５】
連結スプリングワイヤ７は、線径０．５〜４ｍｍ、外径１０〜３０ｍｍ、内径５〜２９ｍｍのスプリング状のワイヤ（以下、スプリングワイヤという）を、図２に示すように、並列させて、長さ方向の複数個所で点溶接を行って連結させたものである。一方のスプリングワイヤの先端には高圧洗浄ノズル１１を備え、他方のスプリングワイヤの先端には内視鏡１２を備えている。作業者は、内視鏡でとらえた内部の様子を確かめながら作業を行うことができる。
【００１６】
連結スプリングワイヤ７の操作は、作業者が連結スプリングワイヤの後端部を握って行われ、下部ノズル５、６から連結スプリングワイヤ７を挿入すると、連結スプリングワイヤ７の先端は、まず、下鏡部９に当たる。ここで、更に押し込むと、先端部が下鏡部９に沿うように略９０°屈曲し、その後、下鏡部９に沿って真っ直ぐにジャケット内を進行していく。進行方向の転換は、連結スプリングワイヤの後端部を捻じって行うことができる。
【００１７】
スプリングワイヤを単独で用いたり、あるいは、複数本並列させたスプリングワイヤを針金や紐等で固定したものでは、僅かな力で、スプリングワイヤが前後左右に揺れ動いてしまい、スプリングワイヤを捻じってもスプリングワイヤ自体が捻じれるだけで、方向転換を行うことはできない。これに対し、スプリング状に成形したスプリングワイヤを複数本並列して点溶接した連結スプリングワイヤを用いる本発明によれば、隣のスプリングワイヤ方向へは曲がりにくくなり、スプリングワイヤの動きが規制されるため、スプリングワイヤの操作性を格段に向上させることができる。
【００１８】
下部ノズル５、６から連結スプリングワイヤ７を挿入して、該連結スプリングワイヤ７に備えた付着物除去手段８によってジャケット内の付着物除去を行う際には、図１に示すように、下部ノズル５、６の下部を、作業用手袋の挿入孔を上部に備えた透明塩ビシートで下端部を開閉可能としたグローバッグ１０で覆いながら操作を行うことで、作業中に下部ノズル５、６から排出される付着物の飛散による周囲の汚染を回避することができる。
【符号の説明】
【００１９】
１  シェル本体
２  ジャケット
３、４  上部ノズル
５、６  下部ノズル
７  連結スプリングワイヤ
８  付着物除去手段
９  下鏡部
１０  グローバッグ
１１  高圧洗浄ノズル
１２  内視鏡
【図１】
2014087758.tif 000003
【図２】
2014087758.tif 000004